(57)【要約】【課題】部品管理や商品管理を容易にしつつ表示パネルの表面輝度を複数段階に調整できる表示灯を提供する。【解決手段】表示灯Ａは、端面から入射した光を前方に照射させる導光板３と、導光板３の上記端面に対向するように配置される第１光源ブロック１７と、前面に表示パターンＢを有し導光板３の前方に配置される表示パネル４とを備えている。導光板３の後方には、第２光源ブロック１８が設けられており、第１および第２光源ブロック１７、１８を組み合わせることで表示パネル４の明るさを調整できるようになっている。【選択図】図１
2010027306.tif 000002
【特許請求の範囲】
【請求項１】
端面から入射した光を前方に照射させる導光板と、導光板の前記端面に対向するように配置される第１光源ブロックと、前面に絵柄を有し導光板の前方に配置される表示パネルとを備え、前記導光板の後方に第２光源ブロックを設け、前記第１および第２光源ブロックを組み合わせることで前記表示パネルの明るさを調整する明るさ調整手段を設けたことを特徴とする表示灯。
【請求項２】
端面から入射した光を前方に照射させる導光板と、それぞれ複数の光源を有し導光板の前記端面に対向するように配置される複数の光源ブロックと、前面に絵柄を有し導光板の前方に配置される表示パネルとを備え、前記各光源ブロックの光源は、それぞれ導光板の前記端面に沿って横並びに配置されるとともに、ブロック毎に複数列に配置され、各光源ブロックを組み合わせることで前記表示パネルの明るさを調整する明るさ調整手段を設けたことを特徴とする表示灯。
【請求項３】
端面から入射した光を前方に照射させる導光板と、導光板の前記端面に対向するように並べて配置される複数の光源と、前面に絵柄を有し導光板の前方に配置される表示パネルとを備え、前記複数の光源は、所定数おきに配置される光源を１組の光源ブロックとして複数組の光源ブロックに分けられ、各光源ブロックを組み合わせることで前記表示パネルの明るさを調整する明るさ調整手段を設けたことを特徴とする表示灯。
【発明の詳細な説明】
【技術分野】
【０００１】
本発明は、表示灯に関するものである。
【背景技術】
【０００２】
従来より、導光板を用いた表示灯や照明装置が種々提供されている（例えば特許文献１参照）。
【０００３】
図７は導光式の誘導灯（表示灯）の一例を示し、前面側が開口した略矩形箱状の灯具本体１０１と、灯具本体１０１の開口側に被着される略矩形板状の表示板ユニット１０２と、表示板ユニット１０２とともに開口を閉塞する形で灯具本体１０１の上部に取着される光源ユニット１０３とを備えている。表示板ユニット１０２は、上端面から入射された光源ユニット１０３からの光を前方に照射させる導光板１０４や、導光板１０４の前方に配置される表示パネル１０５などで構成されている。この誘導灯において導光板１０４の動作原理を説明すると、図８に示すように導光板１０４の上端面１０４ａから入射した光（図８中の矢印ａ）は、導光板１０４の裏面のドット印刷やＶ字型の溝（ともに図示せず）に当たることによって進行方向が前方に変わり、導光板１０４の前面１０４ｂを透過して外部に照射されるのである（図８中の矢印ｂ）。
【０００４】
ここにおいて、誘導灯の表示面の輝度は明確に規定されており、輝度に応じてＡ級、Ｂ級、Ｃ級に分けられ、さらにＢ級は明るさに応じてＢＨ形（高輝度型）とＢＬ形（低輝度型）に分けられる。そして本従来例では、等級に合わせて出力の異なる複数の点灯ブロック（点灯装置）の中から対応する点灯ブロックを選択するとともに、表示板ユニット１０２の構成を換えており、特に表示板ユニット１０２については、ＢＨ形の場合には透明樹脂からなる表示パネル１０５ａや光を集光するためのレンズシート１０７や表示パネル１０５ａの透明部分を白く見せるための拡散シート１０８などで構成し（図９（ａ）参照）、ＢＬ形の場合には乳白樹脂からなる表示パネル１０５ｂやレンズシート１０７などで構成している（図９（ｂ）参照）。
【特許文献１】特開平１１−２６０１３４号公報（段落［００１６］−段落［００１８］、及び、第６図−第７図）
【発明の開示】
【発明が解決しようとする課題】
【０００５】
上述の図７に示した誘導灯では、各等級（ＢＨ形、ＢＬ形など）に応じて輝度を調整できるように、複数の点灯ブロックの中から対応する点灯ブロックを選択して組み込むようになっており、また誘導灯についても複数種類のものが生産されることになるから、部品管理や商品管理に手間がかかるものであった。
【０００６】
本発明は上記問題点に鑑みて為されたものであり、その目的とするところは、部品管理や商品管理を容易にしつつ表示パネルの表面輝度を複数段階に調整できる表示灯を提供することにある。
【課題を解決するための手段】
【０００７】
請求項１の発明は、端面から入射した光を前方に照射させる導光板と、導光板の端面に対向するように配置される第１光源ブロックと、前面に絵柄を有し導光板の前方に配置される表示パネルとを備え、導光板の後方に第２光源ブロックを設け、第１および第２光源ブロックを組み合わせることで表示パネルの明るさを調整する明るさ調整手段を設けたことを特徴とする。
【０００８】
請求項２の発明は、端面から入射した光を前方に照射させる導光板と、それぞれ複数の光源を有し導光板の端面に対向するように配置される複数の光源ブロックと、前面に絵柄を有し導光板の前方に配置される表示パネルとを備え、各光源ブロックの光源は、それぞれ導光板の端面に沿って横並びに配置されるとともに、ブロック毎に複数列に配置され、各光源ブロックを組み合わせることで表示パネルの明るさを調整する明るさ調整手段を設けたことを特徴とする。
【０００９】
請求項３の発明は、端面から入射した光を前方に照射させる導光板と、導光板の端面に対向するように並べて配置される複数の光源と、前面に絵柄を有し導光板の前方に配置される表示パネルとを備え、複数の光源は、所定数おきに配置される光源を１組の光源ブロックとして複数組の光源ブロックに分けられ、各光源ブロックを組み合わせることで表示パネルの明るさを調整する明るさ調整手段を設けたことを特徴とする。
【発明の効果】
【００１０】
請求項１の発明によれば、第１および第２光源ブロックを明るさ調整手段により組み合わせることで表示パネルの表面輝度を複数段階に調整することができ、また第１および第２光源ブロックを共に点灯させる容量を備えた点灯装置を用い、各光源ブロックの組み合わせにより表示パネルの表面輝度を調整すればいいから、従来例に比べて部品管理が容易になり、さらに生産される表示灯も１種類となるから商品管理も容易になるという効果がある。
【００１１】
請求項２の発明によれば、ブロック毎に複数列に配置された複数の光源ブロックを明るさ調整手段により組み合わせることで、請求項１と同様に表示パネルの表面輝度を複数段階に調整することができるという効果がある。
【００１２】
請求項３の発明によれば、複数組の光源ブロックを明るさ調整手段により組み合わせることで、請求項１と同様に表示パネルの表面輝度を複数段階に調整することができる。また、複数の光源を１列に配置した場合には、請求項１のように導光板の後方に第２光源ブロックを設けた場合や、請求項２のように複数の光源を複数列に配置した場合に比べて、灯具全体の厚みを薄くすることもできるという効果がある。
【発明を実施するための最良の形態】
【００１３】
以下に本発明に係る表示灯の実施形態を図面に基づいて説明する。本発明に係る表示灯は、例えば天井や壁などに取り付けられ、避難誘導用の標識として用いられる。なお、以下の説明では特に断りがない限り、図１中の矢印ａ−ｂの方向を上下方向、矢印ｃ−ｄの方向を前後方向、矢印ｅ−ｆの方向を左右方向として説明を行う。
【００１４】
（実施形態１）
図１は実施形態１の表示灯Ａを示し、前面側（図１中の矢印ｃ側）が開口した略矩形箱状の灯具本体１と、上記開口を閉塞するように灯具本体１に取着される光源ユニット２と、光源ユニット２の前方に配置される導光板３と、前面に表示パターンＢを有し、導光板３の前方に配置される表示パネル４とを備えている。
【００１５】
灯具本体１は、例えば合成樹脂成形品であって、上側の側壁において略中央部には商用電源を供給するための電源線（図示せず）を上側から灯具本体１の内部に導入するためのノックアウト１ａが設けられ、このノックアウト１ａの左右（図１中の矢印ｅ−ｆ方向）両側には固定ねじ（図示せず）が挿通されるねじ挿通孔１ｂ、１ｂがそれぞれ貫設されている。また、灯具本体１の底面（背面）において上寄りの略中央部には、上記電源線を背面側から灯具本体１の内部に導入するためのノックアウト１ｃが設けられ、このノックアウト１ｃの左右両側には固定ねじ（図示せず）が挿通されるねじ挿通孔１ｄ、１ｄがそれぞれ貫設されている。すなわち本実施形態では、ねじ挿通孔１ｂ、１ｂを用いることによって灯具本体１を天井に取り付けることができ、またねじ挿通孔１ｄ、１ｄを用いることによって灯具本体１を壁に取り付けることができるのである。なお、天井取付の場合にはノックアウト１ａを開けることで形成される孔を通して上記電源線が灯具本体１の内部に導入され、壁取付の場合にはノックアウト１ｃを開けることで形成される孔を通して上記電源線が灯具本体１の内部に導入されるようになっている。
【００１６】
さらに、灯具本体１の左右両側の側壁の内側面には、光源ユニット２を構成するユニット本体２ａの左右両端部に設けた係合突起２ｃが係合する略Ｌ字状の係合突片１ｅがそれぞれ上下方向に沿って２個ずつ突設されている。
【００１７】
ここで、灯具本体１の内部には、端子台９や、停電時における電源供給用の蓄電池８や、点灯回路７ａ（図２参照）、後述する複数の光源５、６および蓄電池８の状況（例えば蓄電池８の充電状態など）をチェックする自己点検機能を有し、点灯回路７ａを制御する制御回路が内蔵された点灯制御ブロック７が収納されている。ここにおいて、灯具本体１の下側の側壁には、自己点検を行うための自己点検スイッチ（図示せず）や蓄電池８の交換時期などを表示する、例えばＬＥＤからなる表示部（図示せず）などを露出するための複数の露出孔１ｆが設けられているので、外側から自己点検スイッチを押すことで自己点検を行うことができ、また蓄電池８の充電状態および交換時期などを容易に確認することができる。なお、ノックアウト１ａまたはノックアウト１ｃを通して灯具本体１の内部に導入された電源線を端子台９に接続すると、通常時には電源線を介して供給された商用電源が点灯回路７ａに供給されるとともに蓄電池８を充電し、停電時には蓄電池８が放電して点灯回路７ａに電源が供給されるようになっている。
【００１８】
光源ユニット２は、例えば合成樹脂成形品であって、灯具本体１の開口寸法と略同寸法に形成された略矩形板状のユニット本体２ａを有し、ユニット本体２ａの上部には前方に突出する突台部２ｂが一体に設けられている。また、突台部２ｂの下面には、例えばＬＥＤからなる複数の光源５が横並びに配置された第１光源ブロック１７が設けられ、さらにユニット本体２ａの前面（主面）には、ＬＥＤからなる複数の光源６が碁盤の目状に配置された第２光源ブロック１８が設けられている。そして、第１光源ブロック１７は電線１２を介してコネクタ１０ａに接続され、また第２光源ブロック１８は電線１２を介してコネクタ１１ａに接続されている。ここにおいて、点灯回路７ａの出力端には、上記のコネクタ１０ａ、１１ａとそれぞれ電気的に接続されるコネクタ１０ｂ、１１ｂが接続されており、コネクタ１０ａとコネクタ１０ｂを接続することで点灯回路７ａから第１光源ブロック１７に点灯電力Ｅが供給され、コネクタ１１ａとコネクタ１１ｂを接続することで点灯回路７ａから第２光源ブロック１８に点灯電力Ｅが供給されるようになっている。
【００１９】
さらに、ユニット本体２ａの左右両端部において灯具本体１の各係合突片１ｅに対応する部位には、対応する係合突片１ｅと係合する係合突起２ｃがそれぞれ設けられており（図１では右側のみ図示）、各係合突起２ｃを対応する係合突片１ｅにそれぞれ係合させることで、光源ユニット２が灯具本体１に取着されるようになっている。
【００２０】
導光板３は、例えば透明なアクリル樹脂成形品であって、上述したユニット本体２ａの主面（ユニット本体２ａから突台部２ｂを除いた平面部）の外形寸法と略同寸法の矩形板状に形成され、ユニット本体２ａの主面の前方に配置される。なおこのとき、第１光源ブロック１７を構成する複数の光源５は、導光板３の上端面に対向する形に配置され、各光源５から照射された光は導光板３の上端面から導光板３内に入射し、導光板３内部で複数回反射した後、導光板３の前面（表示パネル４側の面）から均一に照射される。
【００２１】
一方、表示パネル４は、例えば合成樹脂成形品であって、上述した導光板３の外形寸法と略同寸法の矩形板状に形成され、例えば人物を模したピクトグラムで構成された表示パターンＢが前面に印刷成形されている。なお、この表示パネル４は、上記の導光板３とともに適宜の取付手段によりユニット本体２ａの主面に取着される。
【００２２】
次に、表示灯Ａの組立手順について図１および図２に基づいて説明する。なお、以下の説明では、蓄電池８と端子台９の間、および、点灯制御ブロック７と端子台９の間がそれぞれ電線（図示せず）により予め接続されているものとして説明する。まず、導光板３および表示パネル４を適宜の取付手段によりユニット本体２ａの主面（前面）に取着する。なおこのとき、第１光源ブロック１７を構成する複数の光源５は導光板３の上端面に対向する形に配置される。そして、第１光源ブロック１７を点灯させる必要がある場合にはコネクタ１０ａを対応するコネクタ１０ｂに接続し、第１光源ブロック１７を点灯させる必要がない場合にはコネクタ１０ａを未接続とする。また、コネクタ１１ａについても、第２光源ブロック１８を点灯させる必要がある場合にはコネクタ１１ａを対応するコネクタ１１ｂに接続し、第２光源ブロック１８を点灯させる必要がない場合にはコネクタ１１ａを未接続とする。
【００２３】
その後、導光板３および表示パネル４を組み付けた光源ユニット２を灯具本体１の前面側（開口側）に被着するとともに、灯具本体１に対して光源ユニット２を下方にスライドさせると、ユニット本体２ａの左右両端部の各係合突起２ｃがそれぞれ対応する係合突片１ｅと係合し、光源ユニット２が灯具本体１に取り付けられ、表示灯Ａの組立てが完了する。なおこの状態において、各係合突起２ｃは、それぞれ対応する係合突片１ｅの下片に当接することで下側への移動が規制されるとともに、係合突片１ｅの縦片と当接することで前方への移動が規制され、光源ユニット２の脱落が防止されている。
【００２４】
ここで、例えば本実施形態の表示灯ＡをＢＬ形の誘導灯として用いる場合には、図２において第１光源ブロック１７に接続されたコネクタ１０ａを点灯回路７ａ側のコネクタ１０ｂに接続するとともに第２光源ブロック１８に接続されたコネクタ１１ａは未接続とすることで、第１光源ブロック１７にのみ点灯電力Ｅが供給されるから第１光源ブロック１７のみが点灯することになり、その結果表示パネル４の表面輝度としてＢＬ形の誘導灯に求められる輝度が確保される。一方、本実施形態の表示灯ＡをＢＨ形の誘導灯として用いる場合には、図２においてコネクタ１０ａをコネクタ１０ｂに接続するとともにコネクタ１１ａをコネクタ１１ｂに接続することで、第１および第２光源ブロック１７、１８にそれぞれ点灯電力Ｅが供給されるから両光源ブロック１７、１８がともに点灯することになり、その結果表示パネル４の表示輝度としてＢＨ形の誘導灯に求められる輝度が確保される。ここに、上記のコネクタ１０ａ、１０ｂおよびコネクタ１１ａ、１１ｂにより明るさ調整手段が構成されている。なお、コネクタ１０ａ、１０ｂ間の接続およびコネクタ１１ａ、１１ｂ間の接続は、上述した表示灯Ａの組立手順の中で仕様（すなわち、ＢＬ形かＢＨ形か）に応じて行われる。
【００２５】
而して、本実施形態によれば、コネクタ１０ａ、１０ｂ間の接続状態に応じた第１光源ブロック１７と、コネクタ１１ａ、１１ｂ間の接続状態に応じた第２光源ブロック１８の組み合わせにより、すなわち第１および第２光源ブロック１７、１８の一方または両方を点灯させることで表示パネル４の表面輝度を複数段階に調整することができ、また第１および第２光源ブロック１７、１８を共に点灯させる容量を備えた点灯回路７ａを用い、各光源ブロック１７、１８を組み合わせることで表示パネル４の表面輝度を調整すればいいから、従来例に比べて部品管理が容易になり、さらに生産される表示灯Ａも１種類となるから商品管理も容易になるという利点がある。
【００２６】
なお本実施形態では、明るさ調整手段をコネクタ１０ａ、１０ｂおよびコネクタ１１ａ、１１ｂで構成し、コネクタの接続状態に応じて第１および第２光源ブロック１７、１８の一方または両方を点灯させることで表示パネル４の表面輝度を調整しているが、明るさ調整手段は本実施形態に限定されるものではなく、第１および第２光源ブロック１７、１８を組み合わせることで表示パネル４の表面輝度を調整できるものであればよい。したがって、例えば点灯制御ブロック７により各光源ブロック１７、１８の出力レベルを調整することで表示パネル４の表面輝度を調整するようなものであってもよい。
【００２７】
（実施形態２）
以下に本発明に係る表示灯の実施形態２について説明する。本実施形態の表示灯Ａは、図３に示すように灯具本体１と、光源ユニット２と、導光板３と、表示パネル４とを備え、実施形態１ではユニット本体２ａの突台部２ｂの下面に第１光源ブロック１７を設けるとともに、ユニット本体２ａの主面に第２光源ブロック１８を設けているが、本実施形態では突台部２ｂの下面において複数の光源１３からなる光源ブロック１９を前側に配置するとともに複数の光源１４からなる光源ブロック２０を後側に配置した２列構成としている。なおそれ以外の構成は実施形態１と同様であり、同一の構成要素には同一の符号を付して説明は省略する。
【００２８】
本実施形態の光源ユニット２は、矩形板状のユニット本体２ａを有し、ユニット本体２ａの上部には前方に突出する突台部２ｂが一体に設けられ、突台部２ｂの下面には、例えばＬＥＤからなる複数の光源１３が横並びに配置された光源ブロック１９と、ＬＥＤからなる複数の光源１４が横並びに配置された光源ブロック２０とが、光源ブロック１９が前側、光源ブロック２０が後側となるように２列に配置されている。また、光源ブロック１９は電線１２を介してコネクタ１０ａに接続され、光源ブロック２０は電線１２を介してコネクタ１１ａに接続されている。なお、組立状態では、各光源ブロック１９、２０を構成する光源１３、１４が導光板３の上端面に対向する形に配置される。ここにおいて、本実施形態では、突台部２ｂの下面に光源ブロック１９、２０を２列に配置しているため、実施形態１に比べて突台部２ｂの突出寸法が大きくなっている。
【００２９】
ここで、例えば本実施形態の表示灯ＡをＢＬ形の誘導灯として用いる場合には、図４において光源ブロック１９に接続されたコネクタ１０ａを点灯回路７ａ側のコネクタ１０ｂに接続するとともに光源ブロック２０に接続されたコネクタ１１ａは未接続とすることで、光源ブロック１９にのみ点灯電力Ｅが供給されるから光源ブロック１９のみが点灯することになり、その結果表示パネル４の表面輝度としてＢＬ形の誘導灯に求められる輝度が確保される。一方、本実施形態の表示灯ＡをＢＨ形の誘導灯として用いる場合には、図４においてコネクタ１０ａをコネクタ１０ｂに接続するとともにコネクタ１１ａをコネクタ１１ｂに接続することで、光源ブロック１９、２０にそれぞれ点灯電力Ｅが供給されるから両光源ブロック１９、２０がともに点灯することになり、その結果表示パネル４の表示輝度としてＢＨ形の誘導灯に求められる輝度が確保される。ここに、上記のコネクタ１０ａ、１０ｂおよびコネクタ１１ａ、１１ｂにより明るさ調整手段が構成されている。
【００３０】
而して、本実施形態によれば、コネクタ１０ａ、１０ｂ間の接続状態に応じた光源ブロック１９と、コネクタ１１ａ、１１ｂ間の接続状態に応じた光源ブロック２０の組み合わせにより、すなわち光源ブロック１９、２０の一方または両方を点灯させることで実施形態１と同様に表示パネル４の表面輝度を複数段階に調整することができる。
【００３１】
なお本実施形態では、明るさ調整手段をコネクタ１０ａ、１０ｂおよびコネクタ１１ａ、１１ｂで構成し、コネクタの接続状態に応じて光源ブロック１９、２０の一方または両方を点灯させることで表示パネル４の表面輝度を調整しているが、明るさ調整手段は本実施形態に限定されるものではなく、各光源ブロック１９、２０を組み合わせることで表示パネル４の表面輝度を調整できるものであればよい。したがって、例えば点灯制御ブロック７により各光源ブロック１９、２０の出力レベルを調整することで表示パネル４の表面輝度を調整するようなものであってもよい。
【００３２】
また本実施形態では、光源ブロックを２列構成としているが、列構成は２列に限定されるものではなく、３列以上であってもよい。
【００３３】
（実施形態３）
以下に本発明に係る表示灯の実施形態３について説明する。本実施形態の表示灯Ａは、図５に示すように灯具本体１と、光源ユニット２と、導光板３と、表示パネル４とを備え、実施形態２ではユニット本体２ａの突台部２ｂの下面において複数の光源１３からなる光源ブロック１９を前側に配置するとともに複数の光源１４からなる光源ブロック２０を後側に配置した２列構成としているが、本実施形態では光源ブロック２１を構成する複数の光源１５と、光源ブロック２２を構成する複数の光源１６を並べて１列に配置するとともに、各光源１５、１６をそれぞれ１つおきに配置している。なおそれ以外の構成は実施形態２と同様であり、同一の構成要素には同一の符号を付して説明は省略する。
【００３４】
本実施形態の光源ユニット２は、矩形板状のユニット本体２ａを有し、ユニット本体２ａの上部には前方に突出する突台部２ｂが一体に設けられ、突台部２ｂの下面には、例えばＬＥＤからなる複数の光源１５、１６が横並びに１列に配置されている。また、各光源１５、１６は、図５（ｂ）に示すようにそれぞれ１つおきに配置されており、複数の光源１５からなる光源ブロック２１と、複数の光源１６からなる光源ブロック２２とに分けられている。さらに、光源ブロック２１は電線１２を介してコネクタ１０ａに接続され、光源ブロック２２は電線１２を介してコネクタ１１ａに接続されている。なお、組立状態では、各光源ブロック２１、２２を構成する光源１５、１６が導光板３の上端面に対向する形に配置される。ここにおいて、本実施形態では、突台部２ｂの下面において光源１５、１６を１列に配置しているため、実施形態２に比べて突台部２ｂの突出寸法が小さくなっている。
【００３５】
ここで、例えば本実施形態の表示灯ＡをＢＬ形の誘導灯として用いる場合には、図６において光源ブロック２１に接続されたコネクタ１０ａを点灯回路７ａ側のコネクタ１０ｂに接続するとともに光源ブロック２２に接続されたコネクタ１１ａは未接続とすることで、光源ブロック２１にのみ点灯電力Ｅが供給されるから光源ブロック２１のみが点灯することになり、その結果表示パネル４の表面輝度としてＢＬ形の誘導灯に求められる輝度が確保される。一方、本実施形態の表示灯ＡをＢＨ形の誘導灯として用いる場合には、図６においてコネクタ１０ａをコネクタ１０ｂに接続するとともにコネクタ１１ａをコネクタ１１ｂに接続することで、光源ブロック２１、２２にそれぞれ点灯電力Ｅが供給されるから両光源ブロック２１、２２がともに点灯することになり、その結果表示パネル４の表示輝度としてＢＨ形の誘導灯に求められる輝度が確保される。ここに、上記のコネクタ１０ａ、１０ｂおよびコネクタ１１ａ、１１ｂにより明るさ調整手段が構成されている。
【００３６】
而して、本実施形態によれば、コネクタ１０ａ、１０ｂ間の接続状態に応じた光源ブロック２１と、コネクタ１１ａ、１１ｂ間の接続状態に応じた光源ブロック２２の組み合わせにより、すなわち光源ブロック２１、２２の一方または両方を点灯させることで実施形態１と同様に表示パネル４の表面輝度を複数段階に調整することができる。また、本実施形態のように、光源ブロック２１、２２を構成する複数の光源１５、１６を１列に配置することによって、実施形態１のように導光板３の後方に第２光源ブロック１８を設けた場合や、実施形態２のように光源ブロック１９、２０を２列構成とした場合に比べて、灯具全体の厚みを薄くすることもできる。
【００３７】
なお本実施形態では、明るさ調整手段をコネクタ１０ａ、１０ｂおよびコネクタ１１ａ、１１ｂで構成し、コネクタの接続状態に応じて光源ブロック２１、２２の一方または両方を点灯させることで表示パネル４の表面輝度を調整しているが、明るさ調整手段は本実施形態に限定されるものではなく、光源ブロック２１、２２を組み合わせることで表示パネル４の表面輝度を調整できるものであればよい。したがって、例えば点灯制御ブロック７により各光源ブロック２１、２２の出力レベルを調整することで表示パネル４の表面輝度を調整するようなものであってもよい。
【００３８】
また、本実施形態では、各光源ブロック２１、２２を構成する光源１５、１６をそれぞれ１つおきに配置しているが、光源の配置形態は本実施形態に限定されるものではなく、各光源ブロックの光源をブロック数に応じて所定数おきに配置したものであってもよい。さらに、光源ブロックの組数についても本実施形態に限定されるものではなく、３組以上を組み合わせる構成であってもよい。
【図面の簡単な説明】
【００３９】
【図１】実施形態１の表示灯を示す分解斜視図である。
【図２】同上を示す回路図である。
【図３】実施形態２の表示灯を示す分解斜視図である。
【図４】同上を示す回路図である。
【図５】実施形態３の表示灯を示し、（ａ）は分解斜視図、（ｂ）は要部拡大図である。
【図６】同上を示す回路図である。
【図７】従来例の表示灯を示す分解斜視図である。
【図８】同上に用いられる導光板の動作を説明する説明図である。
【図９】（ａ）（ｂ）は同上に用いられる表示板ユニットの分解斜視図である。
【符号の説明】
【００４０】
３  導光板
４  表示パネル
１０ａ、１０ｂ、１１ａ、１１ｂ  コネクタ（明るさ調整手段）
１７  第１光源ブロック
１８  第２光源ブロック
Ａ  表示灯
Ｂ  表示パターン（絵柄）
【図１】
2010027306.tif 000003
【図２】
2010027306.tif 000004
【図３】
2010027306.tif 000005
【図４】
2010027306.tif 000006
【図５】
2010027306.tif 000007
【図６】
2010027306.tif 000008
【図７】
2010027306.tif 000009
【図８】
2010027306.tif 000010
【図９】
2010027306.tif 000011